(57)【要約】【課題】必要な暖房能力を低下させることなく、消費電力を削減することができる暖房システム及び暖房熱源機を提供する。【解決手段】石油気化式の温水暖房熱源機１０によって生成された温水を床暖房パネル２０に循環供給することで暖房を行うようになっている。床暖房パネル２０側が暖房不要求状態から暖房要求状態に切り替わった時点で、バーナー１２を燃焼させなければ床暖房パネル２０に低温側設定温度ＴＬｅ−５℃以上の温水を循環供給することができず、気化器１２ａが燃焼可能温度を下回っている場合は、低温側設定温度ＴＬｅ−５℃を下回る温水を床暖房パネル２０に循環供給しながら、気化器１２ａが燃焼可能温度まで昇温するのに要した予熱時間を計測し、その後に、床暖房パネル２０側が暖房要求状態から暖房不要求状態に切り替わっても、その時点で暖房運転を直ちに停止することなく、予熱時間が経過するまで暖房運転を継続するようにした。【選択図】        図１
2008275255.tif 000002
【特許請求の範囲】
【請求項１】
熱媒を加熱する石油気化式の暖房熱源機と、
前記暖房熱源機によって加熱された熱媒を利用して暖房を行う、前記暖房熱源機と通信可能に接続された暖房端末装置と
を備え、
前記暖房熱源機は、その気化器がバーナーの燃焼可能温度を下回っている間は、バーナーが燃焼動作を行わないようになっており、
前記暖房熱源機が、前記気化器を前記燃焼可能温度に保持するように加熱する前記気化器の加熱制御を行いながら、前記暖房端末装置側で任意に選択された暖房能力に対応する暖房周期に従って、前記暖房端末装置に熱媒を循環供給する暖房運転を断続的に行うようになっており、
前記暖房熱源機は、前記暖房端末装置側が暖房不要求状態から暖房要求状態に切り替わった時点で、バーナーを燃焼させなければ前記暖房端末装置に設定温度の熱媒を循環供給することができず、しかも、前記気化器が前記燃焼可能温度を下回っている場合は、前記気化器の加熱制御を開始すると共に、バーナーの燃焼動作を開始することなく、前記気化器が前記燃焼可能温度まで昇温するのに要した予熱時間を計測し、前記気化器が前記燃焼可能温度まで昇温した時点でバーナーの燃焼を開始するようになっており、その後に、前記暖房端末装置側が暖房要求状態から暖房不要求状態に切り替わっても、その時点で暖房運転を直ちに停止することなく、前記予熱時間が経過した時点で、暖房運転を停止するようにしたことを特徴とする暖房システム。
【請求項２】
熱媒を加熱する石油気化式の暖房熱源機と、
前記暖房熱源機によって加熱された熱媒を利用して暖房を行う、前記暖房熱源機と通信可能に接続された複数の暖房端末装置と
を備え、
前記暖房熱源機は、その気化器がバーナーの燃焼可能温度を下回っている間は、バーナーの燃焼動作を行わないようになっており、
前記暖房熱源機が、それぞれの前記暖房端末装置側で任意に選択された暖房能力に応じた暖房周期に従って、前記気化器を前記燃焼可能温度に保持するように加熱する前記気化器の加熱制御を行いながら、それぞれの前記暖房端末装置に熱媒を循環供給する暖房運転を断続的に行うようになっており、
前記暖房熱源機は、それぞれの前記暖房端末装置側が暖房不要求状態から暖房要求状態に切り替わった時点で、バーナーを燃焼させなければそれぞれの前記暖房端末装置に設定温度の熱媒を循環供給することができず、しかも、前記気化器が前記燃焼可能温度を下回っている場合は、バーナーの燃焼動作を開始することなく、前記気化器の加熱制御を行いながら、それぞれの前記暖房端末装置について、前記気化器が前記燃焼可能温度まで上昇するのに要した予熱時間を計測し、前記気化器が前記燃焼可能温度まで上昇した時点でバーナーの燃焼を開始するようになっており、その後に、それぞれの前記暖房端末装置側が暖房要求状態から暖房不要求状態に切り替わっても、最後の前記暖房端末装置側が暖房要求状態から暖房不要求状態に切り替わった時点で暖房運転を直ちに停止することなく、それぞれの前記暖房端末装置側が暖房要求状態から暖房不要求状態に切り替わってから、それぞれの前記予熱時間が経過した時点のうち、最も遅い時点で、暖房運転を停止するようにしたことを特徴とする暖房システム。
【請求項３】
暖房端末装置側で任意に選択された暖房能力に対応する暖房周期に従って、気化器を燃焼可能温度に保持するように加熱する前記気化器の加熱制御を行いながら、前記暖房端末装置に熱媒を循環供給する暖房運転を断続的に行うようになっている暖房システムに使用される、前記暖房端末装置と通信可能に接続された石油気化式の暖房熱源機であって、
前記気化器がバーナーの燃焼可能温度を下回っている間は、バーナーの燃焼動作を行わないようになっており、
前記暖房端末装置側が暖房不要求状態から暖房要求状態に切り替わった時点で、バーナーを燃焼させなければ前記暖房端末装置に設定温度の熱媒を循環供給することができず、しかも、前記気化器が前記燃焼可能温度を下回っている場合は、前記気化器の加熱制御を開始すると共に、バーナーの燃焼動作を開始することなく、前記気化器が前記燃焼可能温度まで昇温するのに要した予熱時間を計測し、前記気化器が前記燃焼可能温度まで昇温した時点でバーナーの燃焼を開始するようになっており、その後に、前記暖房端末装置側が暖房要求状態から暖房不要求状態に切り替わっても、その時点で暖房運転を直ちに停止することなく、前記予熱時間が経過した時点で、暖房運転を停止するようにしたことを特徴とする暖房熱源機。
【請求項４】
複数の暖房端末装置側で任意に選択された暖房能力に対応する暖房周期に従って、気化器を燃焼可能温度に保持するように加熱する前記気化器の加熱制御を行いながら、それぞれの前記暖房端末装置に熱媒を循環供給する暖房運転を断続的に行うようになっている暖房システムに使用される、それぞれの前記暖房端末装置と通信可能に接続された石油気化式の暖房熱源機であって、
前記気化器がバーナーの燃焼可能温度を下回っている間は、バーナーの燃焼動作を行わないようになっており、
それぞれの前記暖房端末装置側が暖房不要求状態から暖房要求状態に切り替わった時点で、バーナーを燃焼させなければそれぞれの前記暖房端末装置に設定温度の熱媒を循環供給することができず、しかも、前記気化器が前記燃焼可能温度を下回っている場合は、バーナーの燃焼動作を開始することなく、前記気化器の加熱制御を行いながら、それぞれの前記暖房端末装置について、前記気化器が前記燃焼可能温度まで昇温するのに要した予熱時間を計測し、前記気化器が前記燃焼可能温度まで昇温した時点でバーナーの燃焼を開始するようになっており、その後に、それぞれの前記暖房端末装置側が暖房要求状態から暖房不要求状態に切り替わっても、最後の前記暖房端末装置側が暖房要求状態から暖房不要求状態に切り替わった時点で暖房運転を直ちに停止することなく、それぞれの前記暖房端末装置側が暖房要求状態から暖房不要求状態に切り替わってから、それぞれの前記予熱時間が経過した時点のうち、最も遅い時点で、暖房運転を停止するようにしたことを特徴とする暖房熱源機。
【発明の詳細な説明】
【技術分野】
【０００１】
この発明は、石油気化式の暖房熱源機によって加熱された熱媒を利用して暖房端末装置が暖房を行う暖房システム及びその暖房熱源機に関する。
【背景技術】
【０００２】
この種の暖房システムとしては、例えば、図９に示すような温水暖房システムがある。この温水暖房システム５０は、同図に示すように、石油気化式の温水暖房熱源機５１と床暖房パネル５６とが、熱動弁５９を有する循環配管５８を介して接続されており、温水暖房熱源機５１によって生成された設定温度の温水を、温水暖房熱源機５１に内蔵された循環ポンプ５３によって、床暖房パネル５６に循環供給することで床暖房を行うようになっている。
【０００３】
この温水暖房システム５０では、床暖房パネル５６の操作リモコン５７によって、暖房能力を段階的に選択することができるようになっており、温水暖房熱源機５１が、操作リモコン５７で選択した暖房能力に対応する暖房周期に従って、床暖房パネル５６に温水を循環供給する暖房運転を断続的に行うようになっている。
【０００４】
具体的には、温水暖房熱源機５１のコントローラ５２と床暖房パネル５６の操作リモコン５７とが通信可能に接続されており、操作リモコン５７の運転スイッチのＯＮ、ＯＦＦを示す運転スイッチ信号や、操作リモコン５７によって選択された暖房能力に応じて、暖房（温水）要求の有無を指示する暖房要求信号等の各種信号が、操作リモコン５７から温水暖房熱源機５１のコントローラ５２に送信されるようになっている。従って、温水暖房熱源機５１のコントローラ５２は、図１０に示すように、暖房要求信号によって暖房要求がなされている間だけ、熱動弁５９を開くと共に循環ポンプ５３を作動させて、床暖房パネル５６に温水を循環供給するようになっている。
【０００５】
また、温水暖房熱源機５１は、液体燃料である灯油を燃焼可能な状態に気化させる気化器５４及びこの気化器５４を加熱する気化ヒータ５５を備えており、気化ヒータ５５によって気化器５４をバーナーの燃焼可能温度まで昇温させなければ、燃焼動作を行うことができないようになっている。従って、この温水暖房システム５０では、同図に示すように、床暖房パネル５６の操作リモコン５７の運転スイッチがＯＮされると、運転スイッチがＯＦＦされるまでの間、気化器５４の温度を燃焼可能温度に保持するように、気化ヒータ５５をＯＮ／ＯＦＦ制御する気化器５４の加熱制御が継続的に実行されるようになっている。
【０００６】
なお、床暖房パネル５６の操作リモコン５７の運転スイッチがＯＮされると同時に気化ヒータ５５による気化器５４の加熱制御を開始しても、気化器５４が即座に燃焼可能温度まで昇温するわけではなく、気化器５４を燃焼可能温度まで昇温させるにはある程度の時間を要することになるので、その間は、設定温度を下回る温水しか床暖房パネル５６に供給することができないが、その後はバーナーが燃焼可能な状態となっているので、暖房要求がなされた時は、設定温度の温水を床暖房パネル５６に供給することができる。
【０００７】
一方、循環ポンプ５３と同様に、暖房要求信号によって暖房要求がなされている間だけ、気化ヒータ５５による気化器５４の加熱制御を実行することも考えられるが、その場合は、暖房不要求状態から暖房要求状態に切り替わった時点で、気化器５４の温度が燃焼可能温度を下回っている可能性が高く、上述したように、気化器５４を燃焼可能温度まで昇温させるまでの間は、設定温度の温水を床暖房パネル５６に循環供給することができなくなるおそれがある。従って、暖房要求がなされている間だけ、気化ヒータ５５による気化器５４の加熱制御を実行すると、設定温度の温水を床暖房パネル５６に循環供給しなければならない必要な暖房運転時間を確保することができなくなる場合があり、その場合は、操作リモコン５７によって選択された暖房能力を発揮させることができなくなるので、上述したように、床暖房パネル５６の操作リモコン５７の運転スイッチがＯＮされると、運転スイッチがＯＦＦされるまでの間、暖房要求がなされているか否かに拘わらず、気化ヒータ５５による気化器５４の加熱制御を継続的に実行することによって、気化器５４を燃焼可能温度に保持しておかざるを得ないのが現状である。
【０００８】
【特許文献１】特開２００３−３３６９０２号公報
【発明の開示】
【発明が解決しようとする課題】
【０００９】
しかしながら、上述した温水暖房システム５０のように、床暖房パネル５６の操作リモコン５７の運転スイッチがＯＮされると、運転スイッチがＯＦＦされるまでの間、気化ヒータ５５による気化器５４の加熱制御を継続的に実行すると、小さい暖房能力で運転する場合、即ち、暖房要求がなされない時間が長くなる場合は、気化ヒータ５５によって必要以上に消費される電力が大きくなり、エネルギの有効利用やランニングコストの削減を図ることができないといった問題がある。
【００１０】
そこで、この発明の課題は、必要な暖房能力を低下させることなく、消費電力を削減することができる暖房システム及び暖房熱源機を提供することにある。
【課題を解決するための手段】
【００１１】
上記の課題を解決するため、請求項１に係る発明は、熱媒を加熱する石油気化式の暖房熱源機と、前記暖房熱源機によって加熱された熱媒を利用して暖房を行う、前記暖房熱源機と通信可能に接続された暖房端末装置とを備え、前記暖房熱源機は、その気化器がバーナーの燃焼可能温度を下回っている間は、バーナーが燃焼動作を行わないようになっており、前記暖房熱源機が、前記気化器を前記燃焼可能温度に保持するように加熱する前記気化器の加熱制御を行いながら、前記暖房端末装置側で任意に選択された暖房能力に対応する暖房周期に従って、前記暖房端末装置に熱媒を循環供給する暖房運転を断続的に行うようになっており、前記暖房熱源機は、前記暖房端末装置側が暖房不要求状態から暖房要求状態に切り替わった時点で、バーナーを燃焼させなければ前記暖房端末装置に設定温度の熱媒を循環供給することができず、しかも、前記気化器が前記燃焼可能温度を下回っている場合は、前記気化器の加熱制御を開始すると共に、バーナーの燃焼動作を開始することなく、前記気化器が前記燃焼可能温度まで昇温するのに要した予熱時間を計測し、前記気化器が前記燃焼可能温度まで昇温した時点でバーナーの燃焼を開始するようになっており、その後に、前記暖房端末装置側が暖房要求状態から暖房不要求状態に切り替わっても、その時点で暖房運転を直ちに停止することなく、前記予熱時間が経過した時点で、暖房運転を停止するようにしたことを特徴とする暖房システムを提供するものである。
【００１２】
また、上記の課題を解決するため、請求項２に係る発明は、熱媒を加熱する石油気化式の暖房熱源機と、前記暖房熱源機によって加熱された熱媒を利用して暖房を行う、前記暖房熱源機と通信可能に接続された複数の暖房端末装置とを備え、前記暖房熱源機は、その気化器がバーナーの燃焼可能温度を下回っている間は、バーナーの燃焼動作を行わないようになっており、前記暖房熱源機が、それぞれの前記暖房端末装置側で任意に選択された暖房能力に応じた暖房周期に従って、前記気化器を前記燃焼可能温度に保持するように加熱する前記気化器の加熱制御を行いながら、それぞれの前記暖房端末装置に熱媒を循環供給する暖房運転を断続的に行うようになっており、前記暖房熱源機は、それぞれの前記暖房端末装置側が暖房不要求状態から暖房要求状態に切り替わった時点で、バーナーを燃焼させなければそれぞれの前記暖房端末装置に設定温度の熱媒を循環供給することができず、しかも、前記気化器が前記燃焼可能温度を下回っている場合は、バーナーの燃焼動作を開始することなく、前記気化器の加熱制御を行いながら、それぞれの前記暖房端末装置について、前記気化器が前記燃焼可能温度まで上昇するのに要した予熱時間を計測し、前記気化器が前記燃焼可能温度まで上昇した時点でバーナーの燃焼を開始するようになっており、その後に、それぞれの前記暖房端末装置側が暖房要求状態から暖房不要求状態に切り替わっても、最後の前記暖房端末装置側が暖房要求状態から暖房不要求状態に切り替わった時点で暖房運転を直ちに停止することなく、それぞれの前記暖房端末装置側が暖房要求状態から暖房不要求状態に切り替わってから、それぞれの前記予熱時間が経過した時点のうち、最も遅い時点で、暖房運転を停止するようにしたことを特徴とする暖房システムを提供するものである。
【００１３】
また、上記の課題を解決するため、請求項３に係る発明は、暖房端末装置側で任意に選択された暖房能力に対応する暖房周期に従って、気化器を燃焼可能温度に保持するように加熱する前記気化器の加熱制御を行いながら、前記暖房端末装置に熱媒を循環供給する暖房運転を断続的に行うようになっている暖房システムに使用される、前記暖房端末装置と通信可能に接続された石油気化式の暖房熱源機であって、前記気化器がバーナーの燃焼可能温度を下回っている間は、バーナーの燃焼動作を行わないようになっており、前記暖房端末装置側が暖房不要求状態から暖房要求状態に切り替わった時点で、バーナーを燃焼させなければ前記暖房端末装置に設定温度の熱媒を循環供給することができず、しかも、前記気化器が前記燃焼可能温度を下回っている場合は、前記気化器の加熱制御を開始すると共に、バーナーの燃焼動作を開始することなく、前記気化器が前記燃焼可能温度まで昇温するのに要した予熱時間を計測し、前記気化器が前記燃焼可能温度まで昇温した時点でバーナーの燃焼を開始するようになっており、その後に、前記暖房端末装置側が暖房要求状態から暖房不要求状態に切り替わっても、その時点で暖房運転を直ちに停止することなく、前記予熱時間が経過した時点で、暖房運転を停止するようにしたことを特徴とする暖房熱源機を提供するものである。
【００１４】
また、上記の課題を解決するため、請求項４に係る発明は、複数の暖房端末装置側で任意に選択された暖房能力に対応する暖房周期に従って、気化器を燃焼可能温度に保持するように加熱する前記気化器の加熱制御を行いながら、それぞれの前記暖房端末装置に熱媒を循環供給する暖房運転を断続的に行うようになっている暖房システムに使用される、それぞれの前記暖房端末装置と通信可能に接続された石油気化式の暖房熱源機であって、前記気化器がバーナーの燃焼可能温度を下回っている間は、バーナーの燃焼動作を行わないようになっており、それぞれの前記暖房端末装置側が暖房不要求状態から暖房要求状態に切り替わった時点で、バーナーを燃焼させなければそれぞれの前記暖房端末装置に設定温度の熱媒を循環供給することができず、しかも、前記気化器が前記燃焼可能温度を下回っている場合は、バーナーの燃焼動作を開始することなく、前記気化器の加熱制御を行いながら、それぞれの前記暖房端末装置について、前記気化器が前記燃焼可能温度まで昇温するのに要した予熱時間を計測し、前記気化器が前記燃焼可能温度まで昇温した時点でバーナーの燃焼を開始するようになっており、その後に、それぞれの前記暖房端末装置側が暖房要求状態から暖房不要求状態に切り替わっても、最後の前記暖房端末装置側が暖房要求状態から暖房不要求状態に切り替わった時点で暖房運転を直ちに停止することなく、それぞれの前記暖房端末装置側が暖房要求状態から暖房不要求状態に切り替わってから、それぞれの前記予熱時間が経過した時点のうち、最も遅い時点で、暖房運転を停止するようにしたことを特徴とする暖房熱源機を提供するものである。
【発明の効果】
【００１５】
以上のように、請求項１に係る発明の暖房システム及び請求項３に係る発明の暖房熱源機では、暖房端末装置側が暖房不要求状態から暖房要求状態に切り替わった時点で、バーナーを燃焼させなければ暖房端末装置に設定温度の熱媒を循環供給することができず、しかも、気化器が燃焼可能温度を下回っている場合は、気化器が燃焼可能温度まで昇温するのに要した予熱時間を計測し、その後に、暖房端末装置側が暖房要求状態から暖房不要求状態に切り替わっても、その時点で暖房運転を直ちに停止することなく、予熱時間が経過した時点で、暖房運転を停止するようにしたので、暖房運転を停止した後、暖房端末装置側が暖房不要求状態から暖房要求状態に切り替わる時点までの間、気化器の加熱制御を停止しても、必要な暖房運転時間を確保することができる。従って、必要な暖房能力を低下させることなく、消費電力を削減することができ、特に、小さい暖房能力で運転する場合、即ち、暖房要求がなされない時間が長くなる場合に大きな省エネルギ効果が発揮される。
【００１６】
また、請求項２に係る発明の暖房システム及び請求項４に係る発明の暖房熱源機では、それぞれの暖房端末装置側が暖房不要求状態から暖房要求状態に切り替わった時点で、バーナーを燃焼させなければそれぞれの暖房端末装置に設定温度の熱媒を循環供給することができず、しかも、気化器が燃焼可能温度を下回っている場合は、それぞれの暖房端末装置について、気化器が燃焼可能温度まで昇温するのに要した予熱時間を計測し、気化器が燃焼可能温度まで昇温した時点でバーナーの燃焼を開始するようになっており、その後に、それぞれの暖房端末装置側が暖房要求状態から暖房不要求状態に切り替わっても、最後の暖房端末装置側が暖房要求状態から暖房不要求状態に切り替わった時点で暖房運転を直ちに停止することなく、それぞれの暖房端末装置側が暖房要求状態から暖房不要求状態に切り替わってから、それぞれの予熱時間が経過した時点のうち、最も遅い時点で、暖房運転を停止するようにしたので、暖房運転を停止した後、最初にいずれかの暖房端末装置側が暖房不要求状態から暖房要求状態に切り替わる時点までの間、気化器の加熱制御を停止しても、それぞれの暖房端末装置に対して必要な暖房運転時間を確保することができる。従って、複数の暖房端末装置が同時運転する場合にも、必要な暖房能力を低下させることなく、消費電力を削減することができる。
【発明を実施するための最良の形態】
【００１７】
以下、実施の形態について図面を参照して説明する。図１は、居室内を暖房するための温水暖房システム１を示している。この温水暖房システム１は、同図に示すように、所定温度（例えば、８０℃）の温水を生成する石油気化式の温水暖房熱源機１０と、この温水暖房熱源機１０によって生成された温水を利用して暖房を行う複数の温水暖房端末装置とを備えており、温水暖房端末装置としては、６０℃程度の温水を供給することによって定格の暖房能力を発揮する低温暖房端末装置としての床暖房パネル２０と、８０℃程度の温水を供給することによって定格の暖房能力を発揮するファンコンベクタ等の高温暖房端末装置とが採用されている。
【００１８】
前記温水暖房熱源機１０は、温水の循環経路を構成する内部高温往き管１４Ｈ及び内部戻り管１５にそれぞれ接続される熱交換器１１と、この熱交換器１１を加熱するバーナー１２と、内部戻り管１５に設置された循環ポンプ１３と、バーナー１２の燃焼動作や循環ポンプ１３の運転動作等を制御するコントローラ１８とを備えており、内部高温往き管１４Ｈと内部戻り管１５における循環ポンプ１３の吸込側とが、熱動弁１７が設けられたバイパス管１６によって接続されていると共に、内部戻り管１５には、循環ポンプ１３の吐出側に内部低温往き管１４Ｌが接続されている。
【００１９】
前記バーナー１２は、液体燃料である灯油を燃焼可能な状態に気化させる気化器１２ａ及びこの気化器１２ａを加熱する気化ヒータ１２ｂを備えており、気化ヒータ１２ｂによって気化器１２ａを燃焼可能温度まで昇温させなければ、燃焼動作を行うことができないようになっている。なお、同図における符号１２ｃ、１２ｄ及び１２ｅは、炎孔、燃焼用送風ファン及び燃料供給管を示している。
【００２０】
また、内部高温往き管１４Ｈ、内部低温往き管１４Ｌ及び内部戻り管１５には、温水の循環経路を構成する外部高温往き管３１Ｈ、外部低温往き管３１Ｌ及び外部戻り管３２がそれぞれ接続されており、外部低温往き管３１Ｌ及び外部高温往き管３１Ｈは、低温暖房端末装置である床暖房パネル２０及び高温暖房端末装置にそれぞれ接続され、床暖房パネル２０及び高温暖房端末装置にそれぞれ接続された外部高温戻り管及び外部低温戻り管３２Ｌが内部戻り管１５に接続されている。また、外部低温往き管３１Ｌには熱動弁３３が設けられており、この熱動弁３３はコントローラ１８によって開閉制御されるようになっている。
【００２１】
前記内部高温往き管１４Ｈ及び内部低温往き管１４Ｌには、温水の送出温度を検出する高温往き温度センサ１９ａ及び低温往き温度センサ１９ｂが設けられており、高温往き温度センサ１９ａによって検出される温水の送出温度ＴＨｓが高温側設定温度ＴＨｅ（例えば、８０℃）−５℃以上、高温側設定温度ＴＨｅ＋５℃未満になるように、コントローラ１８がバーナー１２の燃焼制御を行うと共に、低温往き温度センサ１９ｂによって検出される温水の送出温度ＴＬｓが低温側設定温度ＴＬｅ（例えば、６０℃）−５℃以上、低温側設定温度ＴＬｅ＋５℃未満になるように、コントローラ１８が熱動弁１７を開閉して、高温往き温水を戻り温水に適宜混合するようになっている。ただし、高温暖房端末装置が運転しておらず、床暖房系統だけが運転を行っている場合は、熱動弁１７が常時開いた状態となり、低温往き温度センサ１９ｂによって検出される温水の送出温度ＴＬｓが低温側設定温度ＴＬｅ−５℃以上、低温側設定温度ＴＬｅ＋５℃未満になるように、コントローラ１８がバーナー１２の燃焼制御を行うようになっている。
【００２２】
また、バーナー１２の気化器１２ａには、気化器１２ａの温度を検出する気化器温度センサ１９ｃが設けられており、バーナー１２を燃焼させる際は、気化器１２ａを燃焼可能温度に保持するように、コントローラ１８が気化ヒータ１２ｂの加熱制御を行うようになっている。
【００２３】
前記コントローラ１８は、図２に示すように、ＣＰＵからなる計時機能を有する制御部１８ａと、ＲＯＭ及びＲＡＭからなる記憶部１８ｂと、高温往き温度センサ１９ａ、低温往き温度センサ１９ｂ、気化器温度センサ１９ｃ、その他の各種センサ及び気化ヒータ１２ｂ、熱動弁１７、３３、循環ポンプ１３、その他の各種内部機器等を制御部１８ａに接続する入出力部（Ｉ／Ｏ）１８ｃと、床暖房パネル２０を操作するための床暖房操作リモコン２１のコントローラ２２や高温暖房端末装置のコントローラ等と制御部１８ａとを通信可能に接続するシリアルインターフェース（Ｉ／Ｆ）１８ｄとを備えており、床暖房操作リモコン２１のコントローラ２２や高温暖房端末装置のコントローラ等と相互に連携をとりながら、温水暖房熱源機１０の運転動作を統括的に制御している。
【００２４】
床暖房は、温水暖房熱源機１０が床暖房パネル２０に低温側設定温度ＴＬｅの温水を循環供給することによって行われるが、温水暖房熱源機１０は、床暖房操作リモコン２１によって選択された暖房能力に対応して予め定められている暖房周期に従って、床暖房パネル２０に低温側設定温度ＴＬｅの温水を循環供給する暖房運転を断続的に行うようになっている。
【００２５】
従って、温水暖房熱源機１０のコントローラ１８には、床暖房操作リモコン２１の運転スイッチのＯＮ、ＯＦＦを示す運転スイッチ信号や、床暖房操作リモコン２１によって選択された暖房能力に応じて、暖房（温水）要求の有無を指示する暖房要求信号等の各種信号が、床暖房操作リモコン２１のコントローラ２２から送信されるようになっている。
【００２６】
以下、高温暖房端末装置による暖房を行わずに、床暖房だけを行う場合の温水暖房熱源機１０の運転動作について、図３、図４に示すフローチャート及び図５に示すタイミングチャートを参照して説明する。
【００２７】
まず、図３に示すように、暖房判定フラグｆに「０」を設定し（ステップＳ１）、遅延タイマをリセットすることにより（ステップＳ２）、初期化を行った後、暖房を行うべきか否かについて判定を行う暖房判定処理を実行する（ステップＳ３）。以下、その暖房判定処理について、図４に示すフローチャートを参照しながら説明する。なお、暖房判定フラグｆ＝０の場合は、暖房運転を行う必要がないことを示し、暖房判定フラグｆ＝１の場合は暖房運転を行う必要があることを示しているが、この温水暖房熱源機１０は、床暖房操作リモコン２１のコントローラ２２から送信される暖房要求信号に忠実に従うのではなく、暖房要求信号は暖房運転（温水の供給）を要求していなくても、暖房運転を行うほうが望ましいと判断する場合があり、そのような場合は、暖房判定フラグｆに「１」を設定することになる。
【００２８】
まず、床暖房操作リモコン２１のコントローラ２２から送信される暖房要求信号に基づいて、この時点で、暖房（温水）要求がなされているか否かを判断し（ステップＳ２１）、暖房要求がなされている場合は、暖房判定フラグｆに「１」を設定し（ステップＳ２２）、熱動弁３３を開く（ステップＳ２３）。
【００２９】
続いて、低温往き温度センサ１９ｂによって検出される温水送出温度ＴＬｓが低温側設定温度ＴＬｅ−５℃を下回っているか否かを判断し（ステップＳ２４）、温水送出温度ＴＬｓが低温側設定温度ＴＬｅ−５℃を下回っていない場合は、バーナー１２を燃焼させなくても、設定温度ＴＬｅ−５℃以上の温水を床暖房パネル２０に供給することができるので、気化器１２ａの予熱が完了しているか否か、即ち、気化器１２ａが燃焼可能温度まで昇温しているか否かを判断することなく、暖房判定処理を終了する。
【００３０】
一方、ステップＳ２４において、温水送出温度ＴＬｓが低温側設定温度ＴＬｅ−５℃を下回っている場合は、続いて、気化器１２ａの予熱が完了しているか否かを判断し（ステップＳ２５）、気化器１２ａの予熱が完了している場合は、バーナー１２を燃焼させることができる状態であるので、そのまま暖房判定処理を終了するが、運転スイッチをＯＮした直後や暖房不要求状態から暖房要求状態に切り替わった直後のように、気化器１２ａの予熱が完了していない場合は、上述したように、バーナー１２を燃焼させることができず、設定温度ＴＬｅ−５℃を下回る温水しか床暖房パネル２０に供給することができないので、換言すれば、必要な暖房能力を発揮することができないので、必要な暖房能力を発揮することができなかった時間を計測するために、遅延タイマのインクリメントカウントを行うと共にその時点のタイマ値を記憶部１８ｂのＲＡＭに記憶した後（ステップＳ２６）、暖房判定処理を終了する。
【００３１】
ステップＳ２１において、暖房要求がなされていない場合は、本来暖房運転を行う必要はないが、上述したように、暖房運転を行ったほうが望ましい場合があるので、その判定処理を以下のように行っている。まず、床暖房操作リモコン２１のコントローラ２２から送信される運転スイッチ信号に基づいて、床暖房操作リモコン２１の運転スイッチがＯＦＦされているか否かを判断し（ステップＳ２７）、運転スイッチがＯＦＦされている場合は、最早、暖房運転を行う必要がないことは明らかなので、遅延タイマをリセットした後（ステップＳ３２）、暖房判定フラグｆに「０」を設定し（ステップＳ３３）、熱動弁３３を閉じて（ステップＳ３４）、暖房判定処理を終了する。
【００３２】
一方、ステップＳ２７において、運転スイッチがＯＦＦされていない場合は、続いて、遅延タイマのタイマ値が０であるか否かを判断し（ステップＳ２８）、遅延タイマのタイマ値が０である場合は、この時点までに、必要な暖房能力を発揮することができなかった時間帯が全くなかったか、そういった時間帯があったとしても、その暖房能力の不足分が既に補われているので、即ち、この時点で暖房運転を行わなくても、必要な暖房能力が発揮されているということなので、暖房判定フラグｆに「０」を設定し（ステップＳ３３）、熱動弁３３を閉じて（ステップＳ３４）、暖房判定処理を終了するが、遅延タイマのタイマ値が０でない場合は、この時点までに、必要な暖房能力を発揮することができなかった時間帯があり、その暖房能力の不足分が未だ補われていないので、即ち、必要な暖房能力を発揮させるためには、この時点で暖房運転を行ったほうが望ましいと考えられるので、暖房要求がなされていなくても、暖房判定フラグｆに「０」を設定することなく、さらに、温水送出温度ＴＬｓが低温側設定温度ＴＬｅ−５℃を下回っているか否かを判断する（ステップＳ２９）。
【００３３】
ステップＳ２９において、温水送出温度ＴＬｓが低温側設定温度ＴＬｅ−５℃を下回っていない場合は、バーナー１２を燃焼させなくても、設定温度ＴＬｅ−５℃以上の温水を床暖房パネル２０に供給することができるので、気化器１２ａの予熱が完了しているか否かを判断することなく、遅延タイマのデクリメントカウントを行うと共にその時点のタイマ値を記憶部１８ｂのＲＡＭに記憶した後（ステップＳ３０）、暖房判定処理を終了する。これに対して、ステップＳ２９において、温水送出温度ＴＬｓが低温側設定温度ＴＬｅ−５℃を下回っている場合は、続いて、気化器１２ａの予熱が完了しているか否かを判断し（ステップＳ３１）、気化器１２ａの予熱が完了していない場合は、上述したように、バーナー１２を燃焼させることができず、設定温度ＴＬｅ−５℃を下回る温水しか床暖房パネル２０に供給することができないので、換言すれば、暖房能力の不足分を補うことができないので、遅延タイマのデクリメントカウントを行うことなく、暖房判定処理を終了するが、気化器１２ａの予熱が完了している場合は、バーナー１２を燃焼させることができる状態であり、設定温度ＴＬｅ−５℃以上の温水を床暖房パネル２０に供給することができるので、換言すれば、暖房能力の不足分を補うことができるので、遅延タイマのデクリメントカウントを行うと共にその時点のタイマ値を記憶部１８ｂのＲＡＭに記憶した後（ステップＳ３０）、暖房判定処理を終了する。
【００３４】
このようにして、暖房判定処理（ステップＳ３）が終了すると、図３に示すように、暖房判定フラグｆ＝１か否かを判断し（ステップＳ４）、暖房判定フラグｆ＝０の場合は、暖房運転を行う必要がないので、循環ポンプ１３を停止すると共に（ステップＳ１１）、気化ヒータ１２ｂによる気化器１２ａの加熱制御を停止した後（ステップＳ１２）、ステップＳ３に移行する。
【００３５】
一方、ステップＳ４において、暖房判定フラグｆ＝１の場合は、暖房運転を行う必要があるので、循環ポンプ１３を運転すると共に（ステップＳ５）、気化ヒータ１２ｂによる気化器１２ａの加熱制御を行い（ステップＳ６）、気化器１２ａの予熱が完了しているか否かを判断し（ステップＳ７）、気化器１２ａの予熱が完了していない場合は、バーナー１２を燃焼させることなく（ステップＳ１０）、ステップＳ３に移行する。これに対して、ステップＳ７において、気化器１２ａの予熱が完了している場合は、さらに、低温往き温度センサ１９ｂによって検出される温水送出温度ＴＬｓが低温側設定温度ＴＬｅ−５℃を下回っているか否かを判断し（ステップＳ８）、温水送出温度ＴＬｓが低温側設定温度ＴＬｅ−５℃を下回っていない場合は、バーナー１２を燃焼させることなく（ステップＳ１０）、ステップＳ３に移行するが、温水送出温度ＴＬｓが低温側設定温度ＴＬｅ−５℃を下回っている場合は、バーナー１２を燃焼させ（ステップＳ９）、ステップＳ３に移行する。その後は、同様の処理を繰り返すことになる。
【００３６】
従って、例えば、床暖房操作リモコン２１のコントローラ２２から温水暖房熱源機１０のコントローラ１８に、図５に示すような運転スイッチ信号及び暖房要求信号が送信された場合、同図に示すように、暖房要求信号が暖房不要求状態から暖房要求状態に切り替わった時点（ｔ０）で、熱動弁３３が開いて循環ポンプ１３が起動すると共に、気化ヒータ１２ｂによる気化器１２ａの加熱制御が開始される。また、この時点では、気化器１２ａの予熱が完了していないので、即ち、気化器１２ａが燃焼可能温度まで昇温していないので、直ちに、バーナー１２が燃焼を開始することができず、遅延タイマのインクリメントカウントが開始される。
【００３７】
その後、気化器１２ａの予熱が完了した時点（ｔ１）で、遅延タイマのインクリメントカウントが停止され、バーナー１２が燃焼可能な状態となるが、暖房要求信号が暖房不要求状態から暖房要求状態に切り替わった時点から気化器１２ａの予熱が完了するまでの間（ｔ１〜ｔ０）は、上述したように、バーナー１２を燃焼させることができないので、低温側設定温度ＴＬｅ−５℃以上の温水を床暖房パネル２０に確実に供給することができるとは限らず、床暖房パネル２０は必要な暖房能力を発揮することができない。
【００３８】
また、暖房要求信号が暖房不要求状態から暖房要求状態に切り替わった時点から暖房能力に応じて予め定められた暖房運転時間（Δｔ）が経過すると、暖房要求信号が暖房要求状態から暖房不要求状態に切り替わるが、その時点（ｔ２）で、直ちに暖房運転を停止すると、必要な暖房運転時間（Δｔ）を確保することができなくなるので、暖房要求信号が暖房要求状態から暖房不要求状態に切り替わった時点（ｔ２）から遅延タイマのデクリメントカウントが開始され、遅延タイマのタイマ値が「０」になる時点（ｔ３）まで、暖房運転が継続される。これによって、必要な暖房運転時間（Δｔ）が確保され、床暖房パネル２０が必要な暖房能力を発揮することになる。
【００３９】
以上のように、この温水暖房システム１では、床暖房パネル２０側が暖房不要求状態から暖房要求状態に切り替わった時点で、バーナー１２を燃焼させなければ床暖房パネル２０に低温側設定温度ＴＬｅ−５℃以上の温水を循環供給することができず、しかも、気化器１２ａが燃焼可能温度を下回っている場合は、低温側設定温度ＴＬｅ−５℃を下回る温水を床暖房パネル２０に循環供給しながら、気化器１２ａが燃焼可能温度まで昇温するのに要した予熱時間を計測し、その後に、床暖房パネル２０側が暖房要求状態から暖房不要求状態に切り替わっても、その時点で暖房運転を直ちに停止することなく、予熱時間が経過した時点で、暖房運転を停止するようにしたので、暖房運転を停止した後、床暖房パネル２０側が暖房不要求状態から暖房要求状態に切り替わるまでの間、気化器１２ａの加熱制御を停止しても、必要な暖房運転時間を確保することができる。従って、必要な暖房能力を低下させることなく、気化ヒータ１２ｂの消費電力を削減することができ、特に、小さい暖房能力で運転する場合、即ち、暖房不要求の時間が長くなる場合に大きな省エネルギ効果が発揮される。
【００４０】
図６〜図８は、複数の床暖房系統を有している温水暖房システム２を示している。この温水暖房システム２では、図６に示すように、Ａ系統及びＢ系統のそれぞれに対して、床暖房パネル２０Ａ、２０Ｂ、床暖房操作リモコン２１Ａ、２１Ｂ（コントローラ２２Ａ、２２Ｂ）、外部低温往き管３１ＬＡ、３１ＬＢ、外部低温戻り管３２ＬＡ、３２ＬＢ及び熱動弁３３Ａ、３３Ｂを備えている点を除いて、上述した温水暖房システム１と同一の構成を有している。
【００４１】
また、この温水暖房システム２では、各床暖房系統毎に予熱時間を計測する遅延タイマや暖房判定フラグｆＡ、ｆＢが準備されており、温水暖房熱源機１０の運転動作についても、図７に示すフローチャートのように、各床暖房系統毎に暖房判定処理を行うことによって、暖房判定フラグｆＡ及び暖房判定フラグｆＢのそれぞれが決定されるようになっている（ステップＳ３Ａ、Ｓ３Ｂ）。従って、上述した温水暖房システム１におけるステップＳ１に相当するステップＳ１′では、暖房判定フラグｆＡ及び暖房判定フラグｆＢのそれぞれに「０」を設定すると共に、温水暖房システム１におけるステップＳ４に相当するステップＳ４′では、暖房判定フラグｆＡまたは暖房判定フラグｆＢの少なくとも一方に「１」が設定されているか否かを判断する点を除いて、温水暖房システム１と同様のステップが実行される。
【００４２】
従って、例えば、各床暖房系統の床暖房操作リモコン２１Ａ、２１Ｂのコントローラ２２Ａ、２２Ｂから温水暖房熱源機１０のコントローラ１８に、図８に示すような運転スイッチ信号及び暖房要求信号がそれぞれ送信された場合は、同図に示すように、それぞれの暖房要求信号が暖房不要求状態から暖房要求状態に切り替わった時点（ｔＡ０、ｔＢ０）で、それぞれの熱動弁３３Ａ、３３Ｂが開き、それぞれの遅延タイマのインクリメントカウントが開始される。また、先に運転スイッチがＯＮされた床暖房系統Ａ側の暖房要求信号が暖房不要求状態から暖房要求状態に切り替わった時点（ｔＡ０）で、循環ポンプ１３が起動すると共に、気化ヒータ１２ｂによる気化器１２ａの加熱制御が開始されるが、この時点では、気化器１２ａの予熱が完了していないので、直ちに、バーナー１２が燃焼を開始することができない。
【００４３】
その後、気化器１２ａの予熱が完了した時点（ｔ１）で、それぞれの遅延タイマのインクリメントカウントが停止され、バーナー１２が燃焼可能な状態となるので、先に運転スイッチがＯＮされた床暖房系統Ａ側の予熱時間（ｔ１−ｔＡ０）が、後で運転スイッチがＯＮされた床暖房系統Ｂ側の予熱時間（ｔ１−ｔＢ０）よりも長くなる。
【００４４】
また、各床暖房系統の暖房要求信号が暖房不要求状態から暖房要求状態に切り替わった時点（ｔＡ０、ｔＢ０）から、各床暖房系統Ａ、Ｂの暖房能力に応じて予め定められた暖房運転時間（ΔｔＡ、ΔｔＢ）が経過すると、各床暖房系統Ａ、Ｂの暖房要求信号が暖房要求状態から暖房不要求状態に切り替わり、それぞれの時点（ｔＡ２、ｔＢ２）から、それぞれの遅延タイマのデクリメントカウントが開始される。
【００４５】
各床暖房系統Ａ、Ｂについては、それぞれの遅延タイマのタイマ値が「０」になった時点（ｔＡ３、ｔＢ３）で暖房運転を停止してもよいが、床暖房系統Ａ側の遅延タイマのタイマ値が「０」になった時点（ｔＡ３）では、床暖房系統Ｂ側は未だ暖房不要求状態に切り替わっていないので、この時点（ｔＡ３）で暖房運転が停止されることはなく、床暖房系統Ｂ側の遅延タイマのタイマ値が「０」になった時点（ｔＢ３）で暖房運転が停止されることになる。これによって、各床暖房系統Ａ、Ｂに必要な暖房運転時間が確保され、床暖房パネル２０Ａ、２０Ｂの双方が必要な暖房能力を発揮することになる。
【００４６】
以上のように、この温水暖房システム２では、それぞれの床暖房パネル２０Ａ、２０Ｂ側が暖房不要求状態から暖房要求状態に切り替わった時点で、バーナー１２を燃焼させなければそれぞれの床暖房パネル２０Ａ、２０Ｂに低温側設定温度ＴＬｅ−５℃以上の温水を循環供給することができず、しかも、気化器１２ａが燃焼可能温度を下回っている場合は、低温側設定温度ＴＬｅ−５℃を下回る温水をそれぞれの床暖房パネル２０Ａ、２０Ｂに循環供給しながら、それぞれの床暖房パネル２０Ａ、２０Ｂについて、気化器１２ａが燃焼可能温度まで昇温するのに要した予熱時間を計測し、気化器１２ａが燃焼可能温度まで昇温した時点でバーナー１２の燃焼を開始するようになっており、その後に、床暖房パネル２０Ａ、床暖房パネル２０Ｂの順で暖房要求状態から暖房不要求状態に切り替わっても、床暖房パネル２０Ｂ側が暖房要求状態から暖房不要求状態に切り替わった時点で暖房運転を直ちに停止することなく、床暖房パネル２０Ｂ側が暖房要求状態から暖房不要求状態に切り替わってから、床暖房パネル２０Ｂの予熱時間が経過した時点で、暖房運転を停止するようにしたので、暖房運転を停止した後、床暖房パネル２０Ａ側が暖房不要求状態から暖房要求状態に切り替わる時点までの間、気化器１２ａの加熱制御を停止しても、床暖房パネル２０Ａ、２０Ｂの双方に対して必要な暖房運転時間を確保することができる。従って、床暖房パネル２０Ａ、２０Ｂが同時運転する場合にも、必要な暖房能力を低下させることなく、消費電力を削減することができる。
【００４７】
なお、上述した実施形態では、温水暖房端末装置として、床暖房パネル２０、２０Ａ、２０Ｂを採用した温水暖房システムについて説明したが、これに限定されるものではなく、本発明は、選択した暖房能力に対応する暖房周期に従って断続的に温水を供給することで暖房を行う種々の温水暖房端末装置を採用した温水暖房システムに適用することができる。
【００４８】
また、上述した実施形態では、低温暖房端末装置と高温暖房端末装置とを備えた温水暖房システム１、２について説明したが、これに限定されるものではなく、本発明は、選択した暖房能力に対応する暖房周期に従って断続的に温水を供給することで暖房を行う温水暖房端末装置であれば、低温暖房端末装置または高温暖房端末装置のいずれか一方だけを備えている温水暖房システムについても適用することができる。
【００４９】
また、上述した実施形態では、床暖房系統が１系統の温水暖房システム１及び床暖房系統が２系統の温水暖房システム２について説明したが、これに限定されるものではなく、床暖房系統が３系統以上の温水暖房システムについても本発明を適用することができることは言うまでもない。
【００５０】
また、上述した実施形態では、バーナーが上方を向く正燃式の温水暖房熱源機１０を備えた温水暖房システム１、２について説明したが、これに限定されるものではなく、バーナーが下方を向く逆燃式の温水暖房熱源機を使用することも可能である。
【００５１】
また、上述した実施形態では、暖房専用の温水暖房熱源機１０を使用しているが、これに限定されるものではなく、給湯機能や風呂追焚機能等を兼ね備えた複合タイプの温水暖房熱源機を使用してもよいことは言うまでもない。
【００５２】
また、上述した実施形態では、水を熱媒とした暖房システムについて説明したが、これに限定されるものではなく、水以外の種々の熱媒を使用することも可能である。
【図面の簡単な説明】
【００５３】
【図１】この発明に係る暖房システムの一実施形態である温水暖房システムを示す概略構成図である。
【図２】同上の温水暖房システムを構成している温水暖房熱源機に搭載されているコントローラの制御系を示すブロック図である。
【図３】同上の温水暖房システムにおいて、床暖房だけを行う場合の温水暖房熱源機の動作を示すフローチャートである。
【図４】同上の温水暖房熱源機が行う暖房判定処理を示すフローチャートである。
【図５】同上の温水暖房システムにおいて、床暖房だけを行う場合の各種信号及び各部の動作を示すタイミングチャートである。
【図６】この発明に係る暖房システムの他の実施形態である温水暖房システムを示す概略構成図である。
【図７】同上の温水暖房システムにおいて、床暖房だけを行う場合の温水暖房熱源機の動作を示すフローチャートである。
【図８】同上の温水暖房システムにおいて、床暖房だけを行う場合の各種信号及び各部の動作を示すタイミングチャートである。
【図９】従来の温水暖房システムを示す概略構成図である。
【図１０】同上の温水暖房システムにおいて、床暖房を行う場合の各種信号及び各部の動作を示すタイミングチャートである。
【符号の説明】
【００５４】
１、２  温水暖房システム（暖房システム）
１０  温水暖房熱源機（暖房熱源機）
１１  熱交換器
１２  バーナー
１２ａ  気化器
１２ｂ  気化ヒータ
１３  循環ポンプ
１４Ｈ  内部高温往き管
１４Ｌ  内部低温往き管
１５  内部戻り管
１６  バイパス管
１７  熱動弁
１８  コントローラ
１８ａ  制御部
１８ｂ  記憶部
１８ｃ  入出力部（Ｉ／Ｏ）
１８ｄ  シリアルインターフェース（Ｉ／Ｆ）
１９ａ  高温往き温度センサ
１９ｂ  低温往き温度センサ
１９ｃ  気化器温度センサ
２０、２０Ａ、２０Ｂ  床暖房パネル（暖房端末装置）
２１、２１Ａ、２１Ｂ  床暖房操作リモコン
２２、２２Ａ、２２Ｂ  コントローラ
３１Ｈ  外部高温往き管
３１Ｌ、３１ＬＡ、３１ＬＢ  外部低温往き管
３２  外部戻り管
３２Ｌ、３２ＬＡ、３２ＬＢ  外部低温戻り管
３３、３３Ａ、３３Ｂ  熱動弁
【図１】
2008275255.tif 000003
【図２】
2008275255.tif 000004
【図３】
2008275255.tif 000005
【図４】
2008275255.tif 000006
【図５】
2008275255.tif 000007
【図６】
2008275255.tif 000008
【図７】
2008275255.tif 000009
【図８】
2008275255.tif 000010
【図９】
2008275255.tif 000011
【図１０】
2008275255.tif 000012